(57)【要約】      （修正有）【課題】信頼性を向上できる空気調和機を提供する。【解決手段】複数のコイル２２u,v,wを有するモータ２２ａにより駆動して冷凍サイクルを運転する圧縮機２２と、直流電源ＤＣの正極と各コイル２２u,v,wとを接続する複数のトランジスタＱ１１〜１３と、直流電源ＤＣの負極と各コイル２２u,v,wとを接続する複数のトランジスタＱ２１〜２３とを備えた空気調和機において、モータ２２ａの回転停止時にコイル２２u,v,wに電流を流す第１プレヒート及び第２プレヒートを有し、第２プレヒートが第１プレヒートの後に行われ、第１プレヒートよりも低いＤＵＴＹ比の電流をコイル２２u,v,wに通電する。【選択図】図３
2018059656.tif 000002
【特許請求の範囲】
【請求項１】
複数のコイルを有するモータにより駆動して冷凍サイクルを運転する圧縮機と、直流電源の正極と各前記コイルとを接続する複数の第１スイッチング素子と、前記直流電源の負極と各前記コイルとを接続する複数の第２スイッチング素子とを備えた空気調和機において、
前記モータの回転停止時に前記コイルに電流を流す第１プレヒート及び第２プレヒートを有し、
前記第２プレヒートが前記第１プレヒートの後に行われ、前記第１プレヒートよりも低いＤＵＴＹ比の電流を前記コイルに通電することを特徴とする空気調和機。
【請求項２】
前記第１プレヒート時及び前記第２プレヒート時に所定の前記第１スイッチング素子のオン期間と所定の前記第２スイッチング素子のオン期間とを所定のオーバーラップ時間だけオーバーラップさせることにより前記コイルに通電し、
前記第１プレヒートの前記オーバーラップ時間が前記第２プレヒートの前記オーバーラップ時間よりも長いことを特徴とする請求項１に記載の空気調和機。
【請求項３】
前記第１スイッチング素子及び前記第２スイッチング素子の近傍の温度を検知する温度センサを設け、
前記温度センサの検知温度が所定温度よりも高温になると、前記第１プレヒートから前記第２プレヒートに切り替えることを特徴とする請求項２に記載の空気調和機。
【請求項４】
各前記第１スイッチング素子及び各前記第２スイッチング素子の累積通電時間を記憶する記憶部を備え、
前記第１プレヒートを行う際に、前記累積通電時間の短い前記第１スイッチング素子及び前記累積通電時間の短い前記第２スイッチング素子に優先して通電することを特徴とする請求項２または請求項３に記載の空気調和機。
【請求項５】
各前記第１スイッチング素子及び各前記第２スイッチング素子の通電時間を記憶する記憶部を備え、
前記第１プレヒート及び前記第２プレヒートにおいて、所定時間毎に通電する前記第１スイッチング素子及び前記第２スイッチング素子を切り替えることを特徴とする請求項２または請求項３に記載の空気調和機。
【請求項６】
前記圧縮機の吐出側の温度を検知する温度センサを備え、
前記温度センサの検知温度が所定温度よりも高温になると、前記第１プレヒートから前記第２プレヒートに切り替えることを特徴とする請求項１に記載の空気調和機。
【発明の詳細な説明】
【技術分野】
【０００１】
本発明は、モータにより駆動される圧縮機を備えた空気調和機に関する。
【背景技術】
【０００２】
従来の空気調和機は特許文献１に開示されている。この空気調和機は冷凍サイクルを運転する圧縮機を備える。圧縮機は複数のコイルを有したモータにより駆動され、各コイルにはスイッチング素子が接続される。空気調和機は運転開始前に、スイッチング素子により所定のコイルに電流を流して圧縮機の予熱が行われる。これにより、圧縮機内の潤滑油が液冷媒の溶存により希薄になる寝込み現象を防止することができる。
【先行技術文献】
【特許文献】
【０００３】
【特許文献１】特開平５−２８８４１１号公報（第２頁、第３頁、第１図、第４図）
【発明の概要】
【発明が解決しようとする課題】
【０００４】
しかしながら、上記従来の空気調和機によると、圧縮機の熱容量が大きいため予熱時間が長くなり、熱容量の小さいスイッチング素子が過熱により損傷する原因となる。このため、空気調和機の信頼性が低い問題があった。
【０００５】
本発明は、信頼性を向上できる空気調和機を提供することを目的とする。
【課題を解決するための手段】
【０００６】
上記目的を達成するために本発明は、複数のコイルを有するモータにより駆動して冷凍サイクルを運転する圧縮機と、直流電源の正極と各前記コイルとを接続する複数の第１スイッチング素子と、前記直流電源の負極と各前記コイルとを接続する複数の第２スイッチング素子とを備えた空気調和機において、前記モータの回転停止時に前記コイルに電流を流す第１プレヒート及び第２プレヒートを有し、前記第２プレヒートが前記第１プレヒートの後に行われ、前記第１プレヒートよりも低いＤＵＴＹ比の電流を前記コイルに通電することを特徴としている。
【０００７】
また本発明は上記構成の空気調和機において、前記第１プレヒート時及び前記第２プレヒート時に所定の前記第１スイッチング素子のオン期間と所定の前記第２スイッチング素子のオン期間とを所定のオーバーラップ時間だけオーバーラップさせることにより前記コイルに通電し、前記第１プレヒートの前記オーバーラップ時間が前記第２プレヒートの前記オーバーラップ時間よりも長いと好ましい。
【０００８】
また本発明は上記構成の空気調和機において、前記第１スイッチング素子及び前記第２スイッチング素子の近傍の温度を検知する温度センサを設け、前記温度センサの検知温度が所定温度よりも高温になると、前記第１プレヒートから前記第２プレヒートに切り替えると好ましい。
【０００９】
また本発明は上記構成の空気調和機において、各前記第１スイッチング素子及び各前記第２スイッチング素子の累積通電時間を記憶する記憶部を備え、前記第１プレヒートを行う際に、前記累積通電時間の短い前記第１スイッチング素子及び前記累積通電時間の短い前記第２スイッチング素子に優先して通電すると好ましい。
【００１０】
また本発明は上記構成の空気調和機において、各前記第１スイッチング素子及び各前記第２スイッチング素子の通電時間を記憶する記憶部を備え、前記第１プレヒート及び前記第２プレヒートにおいて、所定時間毎に通電する前記第１スイッチング素子及び前記第２スイッチング素子を切り替えると好ましい。
【００１１】
また本発明は上記構成の空気調和機において、前記圧縮機の吐出側の温度を検知する温度センサを備え、前記温度センサの検知温度が所定温度よりも高温になると、前記第１プレヒートから前記第２プレヒートに切り替えると好ましい。
【発明の効果】
【００１２】
本発明によると、圧縮機のモータの回転停止時に第１プレヒート及び第２プレヒートが順に行われ、第２プレヒートが第１プレヒートよりも低いＤＵＴＹ比の電流をコイルに通電する。これにより、圧縮機を短時間で昇温して寝込みを解消するとともに、第１スイッチング素子及び第２スイッチング素子の過熱を防止することができる。したがって、空気調和機の信頼性を向上することができる。
【図面の簡単な説明】
【００１３】
【図１】本発明の第１実施形態の空気調和機を示す斜視図
【図２】本発明の第１実施形態の空気調和機の冷凍サイクルを示す図
【図３】本発明の第１実施形態の空気調和機の圧縮機の駆動回路を示す回路図
【図４】本発明の第１実施形態の空気調和機の第１プレヒート時及び第２プレヒート時の動作を示すタイムチャート
【図５】本発明の第１実施形態の空気調和機の第１プレヒート時及び第２プレヒート時の動作を示すフローチャート
【図６】本発明の第１実施形態の空気調和機の第１プレヒート及び第２プレヒート時のトランジスタの近傍の温度と時間との関係を示す図
【発明を実施するための形態】
【００１４】
＜第１実施形態＞
以下に図面を参照して本発明の実施形態を説明する。図１は第１実施形態の空気調和機の斜視図を示している。空気調和機１は室内機１０及び室外機２０から構成される。室内機１０は居室内の側壁面Ｗに設置され、屋外に設置された室外機２０に配線９０により接続される。室内機１０はリモートコントローラ（不図示）の操作により運転開始や運転停止等が指示される。
【００１５】
室内機１０はオープンパネル３を前面に配した筐体２により外面を覆われる。オープンパネル３は上端で枢支され、筐体２の前面を開閉可能に配される。筐体２の側面からは電源コード６が導出される。電源コード６は側壁面Ｗに設けた電源コンセントＣに接続され、室内機１０及び室外機２０に電力を供給する。なお、室外機２０と商用電源とを接続して室内機１０及び室外機２０に電力を供給してもよい。
【００１６】
筐体２の上面には吸込口４が左右方向に延びて開口し、筐体２の前面下部には吹出口５が左右方向に延びて開口する。吹出口５は空気調和機１の運転停止時に風向パネル７によって閉じられ、運転時に風向パネル７によって開かれる。筐体２の内部には吸込口４と吹出口５とを連結する空気通路（不図示）が設けられる。空気通路内には空気を送出する送風機（不図示）が配される。送風機の駆動によって吸込口４から居室内の空気が空気通路に流入し、吹出口５から送出される。送風機としてクロスフローファンが好適に用いられる。
【００１７】
図２は空気調和機１の冷凍サイクルを示す図である。室内機１０の空気通路内の吸込口４と送風機との間には室内熱交換器１１が配される。室内熱交換器１１は室外機２０に配した圧縮機２２に接続され、空気通路を流通する空気と熱交換を行う。
【００１８】
室外機２０には圧縮機２２、室外熱交換器２３、四方弁２４及び膨張弁２５が設けられる。圧縮機２２は内部に配されたモータ２２ａ（図３参照）により駆動され、冷凍サイクルを運転する。室外熱交換器２３は屋外の空気と熱交換を行う。四方弁２４は冷媒の流れを切り替える。膨張弁２５は冷媒を減圧膨張させる。圧縮機２２、四方弁２４、室内熱交換器１１、膨張弁２５及び室外熱交換器２３は冷媒管６０により接続される。
【００１９】
圧縮機２２または圧縮機２２の吐出側の近傍の冷媒管６０には温度センサ２６が設けられる。温度センサ２６は圧縮機２２の吐出側の温度を検知する。
【００２０】
図中、矢印Ａは空気調和機１の暖房運転時の冷媒の流れを示している。暖房運転時に、四方弁２４内の流路は実線位置に切り替わる。圧縮機２２から吐出された高温高圧の気体状態の冷媒は、四方弁２４を経て室内熱交換器１１に流入する。この時、室内熱交換器１１は凝縮器として機能し、冷媒は居室内の空気に熱を放熱することで凝縮する。これにより、空気調和機１の暖房運転時に吹出口５から暖気が居室内に送出される。室内熱交換器１１を流通した冷媒は、膨張弁２５を経て室外熱交換器２３に流入する。
【００２１】
膨張弁２５は冷媒を減圧膨張させて冷媒の沸点を下げる。この時、室外熱交換器２３は蒸発器として機能し、膨張弁２５を通過して沸点が下がった液冷媒は室外熱交換器２３において屋外の空気から熱を奪って蒸発する。その後、冷媒は四方弁２４を通過して圧縮機２２に流入する。
【００２２】
図中、矢印Ｂは空気調和機１の冷房運転時の冷媒の流れを示している。冷房運転時に、四方弁２４内の流路は破線位置に切り替わる。圧縮機２２から吐出された高温高圧の気体状態の冷媒は四方弁２４を経て室外熱交換器２３に流入する。この時、室外熱交換器２３は凝縮器として機能し、冷媒は屋外の空気に熱を放熱することで凝縮する。室外熱交換器２３を流通した冷媒は膨張弁２５を通過して室内熱交換器１１に流入する。
【００２３】
この時、室内熱交換器１１は蒸発器として機能し、膨張弁２５を通過して沸点の下がった液冷媒は室内熱交換器１１において居室内の空気から熱を奪って蒸発する。これにより、空気調和機１の冷房運転時に吹出口５から冷気が居室内に送出される。その後、冷媒は四方弁２４を通過して圧縮機２２に流入する。
【００２４】
図３は圧縮機２２の駆動回路２００を示す回路図である。圧縮機２２のモータ２２ａは複数相（本実施形態では三相）から成る。駆動回路２００はインテリジェントパワーモジュール（Intelligent Power Module、IPM）により構成される。なお、モータ２２ａは三相以外の複数相でもよい。
【００２５】
駆動回路２００はトランジスタＱ１１、Ｑ１２、Ｑ１３（いずれも第１スイッチング素子）、トランジスタＱ２１、Ｑ２２、Ｑ２３（いずれも第２スイッチング素子）、ダイオードＤ１１、Ｄ１２、Ｄ１３、Ｄ２１、Ｄ２２、Ｄ２３を有する。なお、以下の説明において、トランジスタＱ１１、Ｑ１２、Ｑ１３を総称して「トランジスタＱ１０」、トランジスタＱ２１、Ｑ２２、Ｑ２３を総称して「トランジスタＱ２０」という場合がある。本実施形態では、トランジスタＱ１０、Ｑ２０としてＩＧＢＴ（Insulated Gate Bipolar Transistor、絶縁ゲート・バイポーラ・トランジスタ）を用いている。
【００２６】
ダイオードＤ１１、Ｄ１２、Ｄ１３のカソードは直流電源ＤＣの正極に接続され、アノードはそれぞれダイオードＤ２１、Ｄ２２、Ｄ２３のカソードに接続される。ダイオードＤ２１、Ｄ２２、Ｄ２３のアノードは直流電源ＤＣの負極に接続される。
【００２７】
これにより、ダイオードＤ１１、Ｄ１２、Ｄ１３は互いに並列に接続され、ダイオードＤ２１、Ｄ２２、Ｄ２３は互いに並列に接続される。また、ダイオードＤ１１、Ｄ１２、Ｄ１３はそれぞれダイオードＤ２１、Ｄ２２、Ｄ２３と直列に接続される。
【００２８】
トランジスタＱ１１、Ｑ１２、Ｑ１３のコレクタは直流電源ＤＣの正極に接続される。トランジスタＱ１１、Ｑ１２、Ｑ１３のエミッタはそれぞれトランジスタＱ２１、Ｑ２２、Ｑ２３のコレクタ及びダイオードＤ１１、Ｄ１２、Ｄ１３のアノードに接続される。トランジスタＱ２１、Ｑ２２、Ｑ２３のエミッタは直流電源ＤＣの負極に接続される。
【００２９】
モータ２２ａのＵ相のコイル２２ｕ、Ｖ相のコイル２２ｖ、Ｗ相のコイル２２ｗはスター結線される。コイル２２ｕ、コイル２２ｖ及びコイル２２ｗの一端は中性点ＮＰで互いに接続される。コイル２２ｕの他端はトランジスタＱ１１のエミッタに接続される。コイル２２ｖの他端はトランジスタＱ１２のエミッタに接続される。コイル２２ｗの他端はトランジスタＱ１３のエミッタに接続される。なお、以下の説明において、コイル２２ｕ、コイル２２ｖ及びコイル２２ｗを総称して「コイル２２ｂ」という場合がある。
【００３０】
これにより、駆動回路２００は正極側のトランジスタＱ１１、Ｑ１２、Ｑ１３を有する上相アーム（ＨＵ相、ＨＶ相、ＨＷ相）が構成され、負極側のトランジスタＱ２１、Ｑ２２、Ｑ２３を有する下相アーム（ＬＵ相、ＬＶ相、ＬＷ相）が構成される。
【００３１】
駆動回路２００の近傍には温度センサ２０１が設けられる。温度センサ２０１はトランジスタＱ１１、Ｑ１２、Ｑ１３、Ｑ２１、Ｑ２２、Ｑ２３の近傍の温度を検知する。
【００３２】
上記構成の駆動回路２００において、コイル２２ｕ、コイル２２ｖ、コイル２２ｗを順に励磁することにより、モータ２２ａが回転する。これにより、圧縮機２２が駆動され、冷凍サイクルが運転される。
【００３３】
また、空気調和機１は運転停止中に第１プレヒート及び第２プレヒートが行われる。第１プレヒート及び第２プレヒートは、モータ２２ａの回転を停止した状態でコイル２２ｂに電流を流す。後述のように、第２プレヒートは第１プレヒートの後に行われ、第１プレヒートよりも低いＤＵＴＹ比の電流をコイル２２ｂに通電する。
【００３４】
図４は、空気調和機１の第１プレヒート時及び第２プレヒート時の動作を示すタイムチャートである。図４（ａ）はＨＵ相のトランジスタＱ１１のオンオフ状態を示している。図４（ｂ）はＬＶ相及びＬＷ相のトランジスタＱ２２、Ｑ２３のオンオフ状態を示している。図４（ｃ）はコイル２２ｂの通電状態を示している。図４（ｄ）はコイル２２ｂの電流値を示している。図５は、空気調和機１の第１プレヒート時及び第２プレヒート時の動作を示すフローチャートである。
【００３５】
空気調和機１の運転停止中に、ステップ＃１１では温度センサ２６の検知温度（吐出温度）が所定の下限温度Ｔｓよりも低温か否かが判断される。温度センサ２６の検知温度が下限温度Ｔｓよりも低温の場合にはステップ＃１２に移行し、下限温度Ｔｓよりも低温でない場合にはステップ＃２１に移行する。
【００３６】
ステップ＃１２では温度センサ２０１の検知温度（素子温度）が所定の切替温度Ｔａ（図６参照）よりも低温か否かが判断される。切替温度Ｔａは熱によるトランジスタＱ１０、Ｑ２０の損傷が生じない温度（例えば８０℃）に設定される。温度センサ２０１の検知温度が切替温度Ｔａよりも低温の場合にはステップ＃１３に移行して第１プレヒートＴ１（時間ｔ１１〜ｔ２１）が行われる。温度センサ２０１の検知温度が切替温度Ｔａよりも低温でない場合にはステップ＃１１に戻り、ステップ＃１１及びステップ＃１２が繰り返される。
【００３７】
ＨＵ相のトランジスタＱ１１は所定周期でオン期間ＯＨ１とオフ期間ＯＨ２とを繰り返す。ＬＶ相及びＬＷ相のトランジスタＱ２２、Ｑ２３は所定周期でオン期間ＯＬ１とオフ期間ＯＬ２とを繰り返す。トランジスタＱ１１のオン期間ＯＨ１とトランジスタＱ２２、Ｑ２３のオン期間ＯＬ１とがオーバーラップしたオーバーラップ時間ＯＴ１、ＯＴ２だけコイル２２ｂに通電される。
【００３８】
第１プレヒートＴ１の時間ｔ１１ではトランジスタＱ２２、Ｑ２３がオンされ、オン期間ＯＬ１になる。この時、トランジスタＱ１１がオフのためコイル２２ｂへ通電されない。時間ｔ１２でトランジスタＱ１１がオンされてオン期間ＯＨ１になると、コイル２２ｂに通電される。これにより、コイル２２ｂの電流値は上昇する。
【００３９】
時間ｔ１３ではトランジスタＱ２２、Ｑ２３のオン期間ＯＬ１が終了してオフ期間ＯＬ２になる。これにより、コイル２２ｂへ通電されず、コイル２２ｂの電流値は低下する。時間ｔ１４でトランジスタＱ２２、Ｑ２３がオン期間ＯＬ１になるとコイル２２ｂに通電され、コイル２２ｂの電流値が上昇する。時間ｔ１５ではトランジスタＱ１１のオン期間ＯＨ１が終了してオフ期間ＯＨ２になる。この時、コイル２２ｂに通電されず、コイル２２ｂの電流値は低下する。
【００４０】
同様の動作が時間ｔ１６〜ｔ２１で繰り返され、コイル２２ｂの電流値が所定の範囲で変動する。
【００４１】
ステップ＃１４では温度センサ２６の検知温度が所定の上限温度Ｔｈを超えたか否かが判断される。上限温度Ｔｈは下限温度Ｔｓよりも高温に設定され、寝込みが解消できる温度に設定される。温度センサ２６の検知温度が上限温度Ｔｈよりも高温の場合にはステップ＃２５に移行し、コイル２２ｂへの通電が停止される。温度センサ２６の検知温度が上限温度Ｔｈよりも高温でない場合にはステップ＃１５に移行する。
【００４２】
ステップ＃１５では、温度センサ２０１の検知温度が切替温度Ｔａ（例えば８０℃）よりも高温か否かが判断される。温度センサ２０１の検知温度が切替温度Ｔａよりも高温の場合にはステップ＃１６に移行して第２プレヒートＴ２（時間ｔ２１〜時間ｔ２９）が行われる。温度センサ２０１の検知温度が切替温度Ｔａよりも高温ではない場合にはステップ＃１４に戻り、ステップ＃１４及びステップ＃１５が繰り返される。
【００４３】
温度センサ２０１の検知温度が切替温度Ｔａ（図６参照）よりも高温になると、第１プレヒートＴ１から第２プレヒートＴ２に切り替えられる。時間ｔ２１ではトランジスタＱ２２、Ｑ２３のオン期間ＯＬ１が継続し、トランジスタＱ１１がオンされてオン期間ＯＨ１になる。これにより、コイル２２ｂに通電される。
【００４４】
時間ｔ２２ではトランジスタＱ２２、Ｑ２３のオン期間ＯＬ１が終了してオフ期間ＯＬ２になり、コイル２２ｂの通電が停止される。この時、オーバーラップ時間ＯＴ２は第１プレヒートＴ１のオーバーラップ時間ＯＴ１よりも短く設定される。このため、第２プレヒートＴ２のコイル２２ｂの電流のＤＵＴＹ比（＝２×ＯＴ２/{ＯＨ１+ＯＨ２}）は第１プレヒートＴ１のコイル２２ｂの電流のＤＵＴＹ比（＝２×ＯＴ１/｛ＯＨ１+ＯＨ２｝）よりも低くなっている。
【００４５】
時間ｔ２３でトランジスタＱ２２、Ｑ２３がオン期間ＯＬ１になるとコイル２２ｂに通電され、コイル２２ｂの電流値が上昇する。時間ｔ２４ではトランジスタＱ１１のオン期間ＯＨ１が終了してオフ期間ＯＨ２になる。この時、コイル２２ｂに通電されず、コイル２２ｂの電流値は低下する。
【００４６】
同様の動作が時間ｔ２５〜ｔ２９で繰り返され、コイル２２ｂの電流値が第１プレヒートＴ１よりも低い範囲で変動する。
【００４７】
ステップ＃１７では温度センサ２６の検知温度が上限温度Ｔｈよりも高温か否かが判断される。温度センサ２６の検知温度が上限温度Ｔｈよりも高温の場合にはステップ＃２５に移行してコイル２２ｂへの通電が停止され、上限温度Ｔｈよりも高温でない場合にはステップ＃１８に移行する。
【００４８】
ステップ＃１８では、温度センサ２０１の検知温度が終了温度Ｔｂ（図６参照）よりも高温か否かが判断される。終了温度Ｔｂは熱によるトランジスタＱ１０、Ｑ２０の損傷が生じない温度（例えば９０℃）で切替温度Ｔａよりも高温に設定される。温度センサ２０１の検知温度が終了温度Ｔｂよりも高温の場合にはステップ１９に移行してコイル２２ｂへの通電が停止される。温度センサ２０１の検知温度が終了温度Ｔｂよりも高温でない場合にはステップ＃１７に戻り、ステップ＃１７及びステップ＃１８が繰り返される。
【００４９】
図６は第１プレヒートＴ１及び第２プレヒートＴ２時の温度センサ２０１の検知温度の推移を示している。縦軸は温度センサ２０１の検知温度（単位：℃）を示し、横軸は時間を示している。トランジスタＱ１０、Ｑ２０は第１プレヒートＴ１及び第２プレヒートＴ２により昇温される。切替温度Ｔａで第１プレヒートＴ１から第２プレヒートＴ２に切り替えられると、トランジスタＱ１０、Ｑ２０は電流のＤＵＴＹ比が低いため緩やかに昇温される。このため、第２プレヒートＴ２でトランジスタＱ１０、Ｑ２０の昇温を抑制し、圧縮機２２を寝込み現象が解消されるまで高温に維持することができる。
【００５０】
ステップ＃２０では温度センサ２０１の検知温度が切替温度Ｔａよりも低温になるまで待機する。温度センサ２０１の検知温度が切替温度Ｔａよりも低温になると、ステップ＃１６に戻り、第２プレヒートＴ２が再開される。
【００５１】
ステップ＃２１では、圧縮機２２の駆動が指示されたか否かが判断される。圧縮機２２の駆動の指示はリモートコントローラ等の操作により室内機１０に運転開始信号が入力されることにより行われる。圧縮機２２の駆動が指示された場合にはステップ＃２２に移行し、指示されなかった場合にはステップ＃１１に戻る。
【００５２】
ステップ＃２２では圧縮機２２が駆動され、モータ２２ａが回転する。これにより、冷凍サイクルが運転される。
【００５３】
ステップ＃２３では、圧縮機２２の停止が指示されるまで待機する。圧縮機２２の停止の指示はリモートコントローラ等の操作により室内機１０に運転停止信号が入力されることにより行われる。
【００５４】
ステップ＃２４では圧縮機２２が停止され、空気調和機１の運転が停止される。ステップ＃２４の後はステップ＃１１に戻る。
【００５５】
第１プレヒートＴ１及び第２プレヒートＴ２によりコイル２２ｂが発熱して圧縮機２２が昇温される。この時、第１プレヒートＴ１はコイル２２ｂの電流のＤＵＴＹ比が高いため、熱容量の大きい圧縮機２２を迅速に昇温することができる。また、第２プレヒートＴ２で圧縮機２２が高温に維持され、液冷媒を蒸発させて寝込み現象が確実に解消される。
【００５６】
本実施形態によると、圧縮機２２のモータ２２ａの回転停止時に第１プレヒートＴ１及び第２プレヒートＴ２が順に行われ、第２プレヒートＴ２が第１プレヒートＴ１よりも低いＤＵＴＹ比の電流をコイル２２ｂに通電する。これにより、圧縮機２２を短時間で昇温して寝込みを解消するとともに、トランジスタＱ１０（第１スイッチング素子）及びトランジスタＱ２０（第２スイッチング素子）の過熱を防止することができる。したがって、空気調和機１の信頼性を向上することができる。
【００５７】
また、第１プレヒートＴ１時及び第２プレヒートＴ２時にＨＵ相のトランジスタＱ１１（第１スイッチング素子）のオン期間ＯＨ１とＬＶ相及びＬＷ相のトランジスタＱ２２、Ｑ２３（第２スイッチング素子）のオン期間ＯＨ２とを所定のオーバーラップ時間ＯＴ１、ＯＴ２だけオーバーラップさせることによりモータ２２ａのコイル２２ｂに通電する。そして、第１プレヒートＴ１のオーバーラップＯＴ１が第２プレヒートＴ２のオーバーラップ時間ＯＴ２よりも長い。これにより、第１プレヒートＴ１及び第２プレヒートＴ２を容易に実現することができる。
【００５８】
なお、本実施形態では第１プレヒートＴ１及び第２プレヒートＴ２において、ＬＶ相及びＬＷ相のトランジスタＱ２２、Ｑ２３の両方をオンオフ制御しているが、一方のみをオンオフ制御してもよい。第１プレヒートＴ１及び第２プレヒートＴ２において、トランジスタＱ１１、Ｑ１２、Ｑ１３のうち１個と、トランジスタＱ２１、Ｑ２２、Ｑ２３のうち１個または２個とをオンオフ制御すればよい。
【００５９】
また、トランジスタＱ１０（第１スイッチング素子）及びトランジスタＱ２０（第２スイッチング素子）の近傍の温度を検知する温度センサ２０１を設け、温度センサ２０１の検知温度が所定の切替温度Ｔａよりも高温になると、第１プレヒートから第２プレヒートに切り替える。これにより、熱によるトランジスタＱ１０、Ｑ２０の損傷をより防止し、トランジスタＱ１０、Ｑ２０の長寿命化を図ることができる。
【００６０】
＜第２実施形態＞
次に、本発明の第２実施形態について説明する。本実施形態では第１プレヒートＴ１時及び第２プレヒートＴ２時の空気調和機１の動作が前述の図１〜図５に示す第１実施形態と異なっている。その他の部分は第１実施形態と同様である。説明の便宜上、前述の図１〜図５と同様の部分には同一の符号を付している。
【００６１】
空気調和機１は、トランジスタＱ１１、Ｑ１２、Ｑ１３、Ｑ２１、Ｑ２２、Ｑ２３の累積通電時間を記憶する記憶部（不図示）を備える。本実施形態では、第１プレヒートＴ１を行う際に、累積通電時間の短いトランジスタＱ１０、Ｑ２０に優先して通電する。例えば、トランジスタＱ１１、Ｑ１２、Ｑ１３のうち累積通電時間が最も短いのがＨＶ相のトランジスタＱ１２であり、トランジスタＱ２１、Ｑ２２、Ｑ２３のうち累積通電時間が最も短いのがＬＵ相のトランジスタＱ２１である場合に、今回の第１プレヒートＴ１を行う際にトランジスタＱ１２、Ｑ２１に優先して通電する。これにより、特定のトランジスタＱ１０、Ｑ２０への通電の集中を避けて、通電時の熱によるトランジスタＱ１０、Ｑ２０の累積損傷をより防止することができる。
【００６２】
本実施形態でも第１実施形態と同様の効果を得ることができる。また、第１プレヒートＴ１を行う際に、累積通電時間の短いトランジスタＱ１０（第１スイッチング素子）及び累積通電時間の短いトランジスタＱ２０（第２スイッチング素子）に優先して通電する。これにより、特定のトランジスタＱ１０、Ｑ２０への通電の集中を避けて、通電時の熱によるトランジスタＱ１０、Ｑ２０の累積損傷をより防止することができる。したがって、トランジスタＱ１０、Ｑ２０の長寿命化をより図ることができる。
【００６３】
＜第３実施形態＞
次に、本発明の第３実施形態について説明する。本実施形態では第１プレヒートＴ１時及び第２プレヒートＴ２時の空気調和機１の動作が前述の図１〜図５に示す第１実施形態と異なっている。その他の部分は第１実施形態と同様である。説明の便宜上、前述の図１〜図５と同様の部分には同一の符号を付している。
【００６４】
空気調和機１は、トランジスタＱ１１、Ｑ１２、Ｑ１３、Ｑ２１、Ｑ２２、Ｑ２３の通電時間を記憶する記憶部（不図示）を備える。第１プレヒートＴ１及び第２プレヒートＴ２において、所定の通電切替時間（例えば１分）毎に通電するトランジスタＱ１０及びトランジスタＱ２０を切り替える。これにより、特定のトランジスタＱ１０、Ｑ２０への通電の集中を避けて、通電時の熱によるトランジスタＱ１０、Ｑ２０の累積損傷をより防止することができる。
【００６５】
本実施形態でも第１実施形態と同様の効果を得ることができる。また、第１プレヒートＴ１及び第２プレヒートＴ２において、所定の通電切替時間毎に通電するトランジスタＱ１０（第１スイッチング素子）及びトランジスタＱ２０（第２スイッチング素子）を切り替える。これにより、特定のトランジスタＱ１０、Ｑ２０への通電の集中を避けて、通電時の熱によるトランジスタＱ１０、Ｑ２０の累積損傷をより防止することができる。したがって、トランジスタＱ１０、Ｑ２０の長寿命化をより図ることができる。
【００６６】
なお、本実施形態において、第２実施形態と同様に、第１プレヒートＴ１を行う際に、累積通電時間の短いトランジスタＱ１０及び累積通電時間の短いトランジスタＱ２０に優先して通電してもよい。
【００６７】
＜第４実施形態＞
次に、本発明の第４実施形態について説明する。本実施形態では第１プレヒートＴ１時及び第２プレヒートＴ２時の空気調和機１の動作が前述の図１〜図５に示す第１実施形態と異なっている。その他の部分は第１実施形態と同様である。説明の便宜上、前述の図１〜図５と同様の部分には同一の符号を付している。
【００６８】
本実施形態では、第１プレヒートＴ１において、温度センサ２６の検知温度が所定の切替温度Ｔｃよりも高温になると、第１プレヒートＴ１から第２プレヒートＴ２に切り替える。切替温度Ｔｃは例えば下限温度Ｔｓと上限温度Ｔｈとの間の温度に設定される。これにより、圧縮機２２の吐出側の温度の上昇を確認後に第２プレヒートＴ２に切り替えるため、寝込み現象をより確実に解消することができる。
【００６９】
なお、本実施形態でも第１実施形態と同様の効果を得ることができる。
【産業上の利用可能性】
【００７０】
本発明は、モータにより駆動される圧縮機を備えた空気調和機に利用することができる。
【符号の説明】
【００７１】
１    空気調和機
２    筐体
３    オープンパネル
４    吸込口
５    吹出口
７    風向パネル
６    電源コード
１０    室内機
１１    室内熱交換器
２０    室外機
２２    圧縮機
２２ａ  モータ
２２ｂ、２２ｕ、２２ｖ、２２ｗ  コイル
２３    室外熱交換器
２４    四方弁
２５    膨張弁
２６    温度センサ
６０    冷媒管
２００    駆動回路
２０１    温度センサ
Ｑ１０、Ｑ１１、Ｑ１２、Ｑ１３    トランジスタ（第１スイッチング素子）
Ｑ２０、Ｑ２１、Ｑ２２、Ｑ２３    トランジスタ（第２スイッチング素子）
Ｄ１１、Ｄ１２、Ｄ１３、Ｄ２１、Ｄ２２、Ｄ２３    ダイオード
【図１】
2018059656.tif 000003
【図２】
2018059656.tif 000004
【図３】
2018059656.tif 000005
【図４】
2018059656.tif 000006
【図５】
2018059656.tif 000007
【図６】
2018059656.tif 000008